(57)【要約】【課題】トナー搬送性能をより簡単かつ正確に評価可能なトナー供給ローラの評価方法、及び高性能なトナー供給ローラを提供する。【解決手段】芯金を有し少なくとも外周面が発泡体により形成されたトナー供給ローラの評価方法において、このローラの外径より小さい内径を有する円筒体であって円筒体の周面に第一および第二の貫通孔が配されこれら貫通孔は円筒体の中心軸について互いに略対称な位置に配された円筒体を通気量測定用治具として用い、この治具にこのローラを挿入し、貫通孔以外の通気量測定用治具に覆われていない部分を密閉し、第一および第二の貫通孔のうちの一方を大気に開放して他方を減圧状態とし、一方から他方へと吸引される大気の単位時間あたりの通気量を測定する工程を有する。特定の条件下でこの方法により求めた通気量が特定の範囲にあるトナー供給ローラ。【選択図】図２
2008052189.tif 000002
【特許請求の範囲】
【請求項１】
芯金を有し少なくとも外周面が発泡体により形成されたトナー供給ローラの評価方法において、
該トナー供給ローラの外径より小さい内径を有する円筒体であって、該円筒体の周面に第一の貫通孔および第二の貫通孔が配され、該第一および第二の貫通孔は該円筒体の中心軸について互いに略対称な位置に配された円筒体を通気量測定用治具として用い、
該通気量測定用治具にトナー供給ローラを挿入し、
該貫通孔以外の該通気量測定用治具に覆われていない部分を密閉用治具で密閉し、
該第一および第二の貫通孔のうちの一方の貫通孔を大気に開放して他方の貫通孔を減圧状態とし、該一方の貫通孔から他方の貫通孔へと吸引される単位時間あたりの大気の通気量を測定する工程を有する
ことを特徴とするトナー供給ローラの評価方法。
【請求項２】
前記一方の貫通孔と他方の貫通孔との差圧を、５０Ｐａ以上１５００Ｐａ以下とする請求項１記載の評価方法。
【請求項３】
前記一方の貫通孔の径をＬA、他方の貫通孔の径をＬB、トナー供給ローラの外径をＬ1、芯金の外径をＬ3と表したとき、
Ｌ3＜ＬA、Ｌ3＜ＬB、
０．４≦ＬA／Ｌ1≦０．９、かつ
０．４≦ＬB／Ｌ1≦０．９
である請求項１または２記載の評価方法。
【請求項４】
芯金を有し少なくとも外周面が発泡体により形成されたトナー供給ローラであって、
請求項１から３のいずれか一項記載の評価方法にて、前記一方の貫通孔の径をＬA（ｍｍ）、他方の貫通孔の径をＬB（ｍｍ）、トナー供給ローラの外径をＬ1（ｍｍ）、芯金の外径をＬ3（ｍｍ）と表したとき、
Ｌ3＜ＬA、Ｌ3＜ＬB、
ＬA＝ＬB、かつ、ＬA／Ｌ1＝０．６とし、
前記一方の貫通孔と他方の貫通孔との差圧を１２５Ｐａとして測定した大気の通気量Ｃ（リットル／ｍｉｎ）が１．０以上７．０以下であるトナー供給ローラ。
【発明の詳細な説明】
【技術分野】
【０００１】
本発明は、電子写真装置や静電記録装置の現像機構部で、現像ローラ表面に当接して回転し、トナー溜り内のトナーを外周面に担持して搬送し、現像ローラ表面にトナーを供給するトナー供給ローラとその評価方法に関する。
【背景技術】
【０００２】
トナー供給ローラは現像ローラに当接し、現像ローラにトナーを供給する役目を有している。その性能面やトナーや当接する現像ローラに与えるダメージを抑えるためにトナー供給ローラは少なくともその外周面が発泡体で形成されていることが好ましい。
【０００３】
トナー供給ローラのトナー供給性を測定する方法が特許文献１に記載される。すなわち、円筒状のチャンバーに冶具を用いてトナー供給ローラを取り付けることによりチャンバーを閉塞し、チャンバー内を吸引ポンプで吸引して、圧力計で圧力を測定しながらチャンバー内を所定の減圧状態とし、そのときの空気流量を流量計で測定する。そしてこの空気流量により、通気性を測定評価する方法が提案されている。また、トナー供給ローラから所定の長さに切り出したサンプルを円筒体内に圧入し、前記と同様の方法によりサンプル内を流通する空気の流量を測定する方法が提案されている（特許文献２参照）。
【０００４】
しかし、このようなトナー供給ローラの軸方向での通気量測定方法では、ローラを破壊する必要があったり、側周面からの通気量データが含まれ得られた値からトナー供給性を正確に評価することが困難であったりしていた。
【０００５】
そこで、トナー供給ローラの外周面に圧空供給パイプを圧接して、圧空供給パイプから所定圧力の空気をトナー供給ローラ外周面に圧送するとともに、圧空供給パイプの内圧を測定し、ローラの通気性を評価する方法が提案されている（特許文献３参照）。
【０００６】
更にトナー供給ローラの外周面に吸引パイプを圧接して、吸引パイプから所定圧力の空気をトナー供給ローラ外周面から吸引するとともに、圧空供給パイプの内圧を測定し、ローラの通気性を評価する方法が提案されている（特許文献４参照）。
【０００７】
しかし、これらの方法は、比較的に容易な方法でトナー供給ローラの表面近傍通気性を測定できるメリットがある反面、トナー供給ローラ発泡体内部の通気量を含めた測定方法ではない。実際には、発泡体内部までの通気度が重要である場合も多い。例えば、トナー供給ローラ表面近傍の通気度が高くてもトナー供給ローラ内部の通気量が低い場合、長期使用時にトナーにより目詰まりがしやすくなり、ローラ硬度が上昇しトナー劣化を引き起こしやすくなることがある。ひどい場合は、内部硬度上昇によりトナー供給ローラの表面近傍のみが変形を受けトナー供給ローラ表面の発泡体が破損する場合もあり、表面近傍の通気性の測定では、トナー供給ローラを評価できない場合もあった。
【特許文献１】特開平１１−２８８１６１号公報
【特許文献２】特開平０９−２７４３７３号公報
【特許文献３】特開２００２−３０４０５１号公報
【特許文献４】特開２００５−２３４４０５号公報
【発明の開示】
【発明が解決しようとする課題】
【０００８】
本発明の目的は、トナー供給ローラのトナー搬送性能（トナー供給性能）を比較的簡単な方法でより正確に評価することができるトナー供給ローラの評価方法を提供することである。
【０００９】
本発明の別の目的は、この評価方法により性能管理された高性能なトナー供給ローラを提供することである。
【課題を解決するための手段】
【００１０】
本発明により、芯金を有し少なくとも外周面が発泡体により形成されたトナー供給ローラの評価方法において、
該トナー供給ローラの外径より小さい内径を有する円筒体であって、該円筒体の周面に第一の貫通孔および第二の貫通孔が配され、該第一および第二の貫通孔は該円筒体の中心軸について互いに略対称な位置に配された円筒体を通気量測定用治具として用い、
該通気量測定用治具にトナー供給ローラを挿入し、
該貫通孔以外の該通気量測定用治具に覆われていない部分を密閉用治具で密閉し、
該第一および第二の貫通孔のうちの一方の貫通孔を大気に開放して他方の貫通孔を減圧状態とし、該一方の貫通孔から他方の貫通孔へと吸引される単位時間あたりの大気の通気量を測定する工程を有する
ことを特徴とするトナー供給ローラの評価方法が提供される。
【００１１】
また本発明により、芯金を有し少なくとも外周面が発泡体により形成されたトナー供給ローラであって、
上記の評価方法にて、前記一方の貫通孔の径をＬA（ｍｍ）、他方の貫通孔の径をＬB（ｍｍ）、トナー供給ローラの外径をＬ1（ｍｍ）、芯金の外径をＬ3（ｍｍ）と表したとき、
Ｌ3＜ＬA、Ｌ3＜ＬB、
ＬA＝ＬB、かつ、ＬA／Ｌ1＝０．６とし、
前記一方の貫通孔と他方の貫通孔との差圧を１２５Ｐａとして測定した大気の通気量Ｃ（リットル／ｍｉｎ）が１．０以上７．０以下であるトナー供給ローラが提供される。
【発明の効果】
【００１２】
本発明により、上記事情に鑑みなされたもので、トナー供給ローラのトナー搬送性能（トナー供給性能）を比較的簡単な方法でより正確に評価することができるトナー供給ローラの評価方法が提供される。
【００１３】
本発明により、この評価方法により性能管理された高性能なトナー供給ローラが提供される。
【発明を実施するための最良の形態】
【００１４】
以下本発明の形態について説明するが、本発明はこれによって限定されるものではない。
【００１５】
本発明の評価方法では、芯金を有し少なくとも外周面が発泡体により形成されたトナー供給ローラの通気性を測定して、その通気性からトナー供給ローラの性能を評価する。
【００１６】
トナー供給ローラの外周面は、発泡体で形成される円筒面である。トナー供給ローラは、円筒状の芯金の周囲に、発泡体からなる層を最外層として有するローラ構造とすることができる。
【００１７】
本発明の評価方法に、例えば図２に示されているような測定装置を用いることができる。
【００１８】
この測定装置は、通気量測定用治具１２と、その両側にそれぞれ配される二つの密閉用治具１３を有する。
【００１９】
通気量測定用治具は中空円筒状（丸パイプ状）である。通気量測定用治具の内径は、トナー供給ローラ９の外径より若干小さい。トナー供給ローラの外径とは、発泡体部分の外径を意味する。
【００２０】
通気量測定用治具の周面には二つの貫通孔１２ａおよび１２ｂ（それぞれ測定孔Ａおよび測定孔Ｂと称す。）が設けられる。測定孔Ａおよび測定孔Ｂは通気量測定用治具の円筒中心軸について互いに略対称な位置に配される。従って、通気量測定用治具にトナー供給ローラ９が挿入された際には芯金１０を挟んで互いに略対称な位置に測定孔Ａおよび測定孔Ｂが存在する。
【００２１】
測定孔Ａは大気と接する。すなわち測定孔Ａは大気に開放される。測定孔Ｂは、吸引ポンプ１６に繋がるチャンバー１１に連通する。測定孔Ｂは気密性をもってこのチャンバーに接続される。このために、測定孔Ｂはチャンバー１１に圧接するように固定される。
【００２２】
測定にあたっては、図２（ａ）に示すように、まず通気量測定用治具１２内にトナー供給ローラを挿入する。
【００２３】
そして図２（ｂ）に示すように、チャンバー１１を測定孔Ｂに気密性をもって接続する。測定孔Ａは大気に開放しておく。そして、図２（ｃ）に示すように、測定孔Ａ以外は大気に開放にならないよう、通気量測定用治具で覆われていない部分（測定孔ＡおよびＢ部を除く）を密閉用治具１３で密閉する。
【００２４】
なお、予めチャンバー１１に通気量測定用治具１２を挿入・設置しておき、トナー供給ローラ９を挿入した後、密閉用治具１３で閉塞しても良い。
【００２５】
密閉用治具は図２（ｃ）に示したように、通気量測定治具両端に設置する。密閉用治具のそれぞれの片端は閉塞している。その形状は円筒でも立方体でも円錐でもよく、すなわち密閉用治具の形状は問わない。密閉用治具は、通気量測定治具の測定孔Ａ及びＢ以外からの大気の流れを排除することができればよい。
【００２６】
この状態における測定孔部の断面概念図を図３に示す。図３に波線で示されるように、チャンバー１１が負圧になることによって、大気が測定孔Ａ１２ａ、トナー供給ローラ９（の発泡体層）および測定孔Ｂ１２ｂを通過する。
【００２７】
チャンバー１１には、測定孔ＡとＢとの間の差圧を知るための圧力計１４、トナー供給ローラの発泡体を通って吸引される大気の流量を知るための流量計１５および大気を吸引するための吸引ポンプ１６が接続される。
【００２８】
吸引ポンプ１６で測定孔Ｂを減圧状態にし、測定孔Ａから測定孔Ｂへと大気を吸引する。このとき吸引ポンプ１６を作動させながら、減圧調整バルブ（不図示）を調整して、圧力計１４が一定値を示すように吸引側の吸引度を調整する。その状態で、流量計１５の値から単位時間の通気量を読み取る。ここで、単位時間は適宜設定できるが、多くの場合一分に設定することができ、一分あたりの通気量を測定すればよい。つまり流量計の値はリットル／ｍｉｎで表すことができる。
【００２９】
圧力計は測定孔Ａと測定孔Ｂとの差圧を知るためのものであるが、測定孔Ａは大気に開放されているため、大気と測定孔Ｂとの差圧を測定すればよい。
【００３０】
上記差圧は、通気量の測定値のバラツキを抑える観点から、５０Ｐａ以上１５００Ｐａ以下（測定孔Ｂを負圧側とする）が好ましく、７０Ｐａ以上１５００Ｐａ以下がより好ましい。
【００３１】
測定環境は常温での測定が好ましく、好ましくは２０℃から３０℃で、更に好ましくは２３℃から２７℃である。測定孔Ａおよび測定孔Ｂの形状および大きさは特に制限されるものではない。
【００３２】
測定孔は、例えば円形とすることができる。つまり、測定孔を、円筒体である通気量測定用治具の周面に丸棒を刺して穿った貫通孔の形状とすることができる。この丸棒の軸直交の断面の円をもって、径（直径）を測定して、測定孔の径とすることができる。また、測定孔が、多角形の棒を通気量測定用治具の周面に刺して穿った貫通孔の形状を有する場合は、その多角形の外接円の直径と内接円の直径の平均値を測定孔の径とする。断面が曲面の棒を通気量測定用治具の周面に刺して穿った貫通孔の形状を、測定孔が有する場合は、その断面の最大部分に接する円の直径と最小部分に接する円の直径の平均値をもって、測定孔の径とする。
【００３３】
ここで、測定孔Ａの径をＬA、測定孔Ｂの径をＬB、トナー供給ローラの外径（拘束されていない状態における径、すなわち通気量測定用治具に挿入されていない状態における直径）をＬ1、芯金外径（直径）をＬ3と表す。また、通気量測定用治具の内径（直径）をＬ2と表す。
【００３４】
なお、ＬAとＬBを必ずしも等しくする必要はない。
【００３５】
トナー供給ローラ内部の通気量を測定する際に芯金の影響を抑制してより正確な測定を行う観点から、ＬA＞Ｌ3且つＬB＞Ｌ3とすることが好ましい。
【００３６】
同様に、通気量の測定に対する芯金の影響を抑制する観点から、ＬA／Ｌ1の比、ＬB／Ｌ1の比はいずれも好ましくは０．４以上、より好ましくは０．５以上とする。また、トナー供給ローラ外周面からの影響を抑えて、測定した通気量とトナー供給ローラとしてのトナー搬送性能との優れた相関関係を得る観点から、ＬA／Ｌ1およびＬB／Ｌ1はいずれも好ましくは０．９以下、より好ましくは０．８以下とする。すなわち、０．４≦ＬA／Ｌ1≦０．９かつ０．４≦ＬB／Ｌ1≦０．９が好ましく、０．５≦ＬA／Ｌ1≦０．８かつ０．５≦ＬB／Ｌ1≦０．８がより好ましい。
【００３７】
測定するトナー供給ローラの外径Ｌ1及び芯金外径Ｌ3は、１０ｍｍ＜Ｌ1＜２０ｍｍ、４ｍｍ＜Ｌ3＜１０ｍｍが好ましい。
【００３８】
トナー供給ローラの外径Ｌ1と通気量測定用治具の内径Ｌ2は、通気量測定用治具にトナー供給ローラを固定するために、Ｌ1＞Ｌ2とする。
【００３９】
トナー供給ローラの発泡体の変形の影響を抑え、また試験体であるトナー供給ローラの破壊を防止する観点から、Ｌ2／Ｌ1の比は好ましくは０．８８以上、より好ましくは０．９０以上である。また、通気量測定用治具にトナー供給ローラを優れて固定するために、Ｌ2／Ｌ1の比は好ましくは０．９７以下、より好ましくは０．９５以下である。すなわち、好ましくは０．８８≦Ｌ2／Ｌ1≦０．９７であり、より好ましくは０．９０≦Ｌ2／Ｌ1≦０．９５である。
【００４０】
また、通気量測定用治具の長さは、トナー供給ローラを把持固定できる長さであればよい。好ましくはＬ1の２倍以上である。
【００４１】
更に、上記測定方法においてＬA＝ＬB且つＬA／Ｌ1＝０．６であり、測定孔ＡとＢとの差圧が１２５Ｐａ（測定孔Ｂを負圧側とする）であるとき流量計１５で測定した通気量をＣ（リットル／ｍｉｎ）とする。
【００４２】
上記Ｃが１．０≦Ｃ≦７．０（リットル／ｍｉｎ）であるトナー供給ローラが、トナー搬送性能が良好であり、好ましい。更に好ましくは、１．５≦Ｃ≦５．５（リットル／ｍｉｎ）である。Ｃが１．０未満である場合、トナー供給ローラ内部に入り込んだトナーがトナー供給ローラ内にどんどん詰まっていき硬度が高くなり、長期間使用時にトナー供給ローラの表面の発泡体層がちぎれて破損する場合がある。更にＣが７．０よりも大きい場合、トナー供給性が安定せず、画像が均一ななめらかなものでなく、画像濃度にムラができやすくなる。
【００４３】
本発明によれば、トナー供給ローラのトナー搬送性能（トナー供給性能）を比較的簡単な方法で正確に評価することができる。更に、長期間使用時にも良好なトナー搬送性能を有するトナー供給ローラを提供することが出来る。
【００４４】
本発明のトナー供給ローラは例えば図１に示す構成を有する電子写真方式の画像形成装置に用いることができる。感光体１が帯電ローラによって帯電され、露光を受け、感光体に静電潜像が形成される。トナー供給ローラ３から現像ローラ２にトナーが供給され、現像ローラ上のトナーが規制ブレード４によって規制される。現像ローラからトナーが感光体に供給されて静電潜像が現像される。このトナー像が転写ローラ５によって記録媒体８に転写され、適宜定着され、記録媒体に画像が形成される。感光体上に残ったトナーはクリーニングブレード６によって除去される。図中ローラに付した矢印はそのローラの回転方向を示す。また、感光体、トナー供給ローラ、および規制ブレードにはバイアス電圧が印加される。
【実施例】
【００４５】
以下、本発明を実施例によりさらに詳しく説明する。しかし、本発明はこれらの例によって限定されるものではない。
【００４６】
以下の実施例、比較例で使用したポリウレタンフォーム原料を示す。
１）ポリオール
・ＦＡ−７０３（商品名）：三洋化成（株）製ポリエーテルポリオール、ＯＨ価３３。
・ＰＯＰ３１−２８（商品名）：三井化学ポリウレタン（株）製ポリオール、ＯＨ価２８。
２）ポリイソシアネート
・コスモネートＴＭ５０（商品名）：三井化学ポリウレタン（株）製  ＮＣＯ＝３９．８％。
・コスモネートＴＭ２０（商品名）：三井化学ポリウレタン（株）製  ＮＣＯ＝４４．７％。
３）整泡剤
・ＳＲＸ−２７４Ｃ（商品名）：東レダウコーニング（株）製のシリコーン整泡剤。
・ＳＦ−２９６５（商品名）：東レダウコーニング（株）製のシリコーン整泡剤。
４）アミン系触媒
・触媒１：ＴＯＹＯＣＡＴ−ＥＴ（商品名）：東ソー（株）製。
・触媒２：ＴＯＹＯＣＡＴ−ＭＲ（商品名）：東ソー（株）製。
【００４７】
〔実施例１〕
ＳＵＳ（ステンレス鋼）製円筒状金型内に、直径５ｍｍのニッケル化学メッキをした丸棒状鉄製芯金を配した。つまり、芯金の外径Ｌ3は５ｍｍである。それぞれ表１に示した組成のポリウレタンフォーム原料を混合・撹拌したポリウレタンフォーム混合液を、この金型内に注入し、芯金の外周面にポリウレタンフォーム製の発泡体層（断面が環状）を形成し、トナー供給ローラ（１）〜（６）を得た。得られたトナー供給ローラの外径Ｌ1はいずれもＬ1＝１６ｍｍである。なお、表１には、ポリウレタンフォーム原料の処方を質量部で示してある。
【００４８】
得られた各トナー供給ローラについて、通気性の測定を以下のように行った。
【００４９】
図２に示すように、本測定装置は、トナー供給ローラ９を保持する円筒状の通気量測定用治具１２を備える。治具１２の円筒面には貫通孔１２ａ（測定孔Ａ）および貫通孔１２ｂ（測定孔Ｂ）を設けた。測定孔ＡおよびＢの径ＬAおよびＬBは、ＬA＝ＬB＝１０ｍｍとした。治具１２の内径Ｌ2は１５ｍｍで、治具１２の長さは４０ｍｍである。
【００５０】
図２（ａ）に示すように各トナー供給ローラ９を治具１２の中央にある開口径Ｌ2の挿入部から圧入して、図２（ｂ）に示すようにチャンバー１１を測定孔Ｂに接続した。さらに図２（ｃ）に示すように、測定する部位以外を密閉用治具１３で密閉した。測定孔Ａは大気（０．１０ＭＰａ）開放した。
【００５１】
この測定装置はＪＩＳ  Ｌ１０９６  Ａ法のように、流量計１５および圧力計１４および吸引ポンプ１６が接続され、吸引ポンプ１６の吸引によりチャンバー１１内が減圧される。そのチャンバー１１内の圧力は圧力計１４によりモニターされ、圧力が一定となるように吸引ポンプ１６の吸引を調整する。トナー供給ローラ９の測定孔から吸引される大気の通気量Ｃを、流量計１５で測定した。また測定中は圧力計１４が１２５Ｐａ（測定孔Ｂが負圧側。つまり大気圧に対してチャンバー内の圧力が−１２５Ｐａ）を示すように吸引ポンプ１６の吸引を調整した。
【００５２】
トナー供給ローラ（１）〜（６）について、それぞれ、流量計１５の測定値（通気量Ｃ）を求めた。その結果を表２に示す。
【００５３】
また、各トナー供給ローラを用いて連続プリント動作を繰り返し実施し、７５００枚目にプリントしたベタ黒画像の濃度を評価した。その結果を表２に示す。画像評価基準は次のとおりとした。
○：画像が均一、
△：濃度が若干低下したが実用上許容される範囲にある、
×：濃度が著しく低下し、濃度ムラ大。
【００５４】
画像評価後にトナー供給ローラをカートリッジからはずして、ローラ外観を確認した。その結果を表２のトナー供給ローラちぎれの欄に示すが、○はローラに異常がなかったことを示し、×はローラのウレタンフォームの一部が破損していたことを示す。
【００５５】
〔比較例１〕
図４に示した測定装置を用い、従来のトナー供給ローラのトナー供給性を測定する方法によって上記トナー供給ローラ（１）〜（６）の軸方向の通気量をそれぞれ測定した。
【００５６】
各トナー供給ローラの発泡体層を切断して発泡体層の長さを２５ｍｍにし、トナー供給ローラ試験体１７とした。円筒状のチャンバー１８に、この試験体１７を取り付けることによりチャンバー１８を閉塞した。チャンバー１８内を吸引ポンプ１６で吸引して、圧力計１４で圧力を測定しながらチャンバー１８内を所定の減圧状態とし、そのときの空気流量を流量計１５で測定した。これにより、トナー供給ローラの長手方向の通気性を測定評価した。結果を表２に示す。
【００５７】
円筒状のチャンバー１８の内径は１５ｍｍとした。また測定中は圧力計１４が負圧９８０Ｐａを示すように吸引ポンプ１６の吸引を調整した。
【００５８】
軸方向通気量は、流量計の測定値（ｃｃ／ｓｅｃ）を、空気が通過する発泡体層の軸方向断面積で除した値である。発泡体層の軸方向断面は、外直径１６ｍｍ、内直径５ｍｍの円環状である。
【００５９】
【表１】
2008052189.tif 000003
【００６０】
【表２】
2008052189.tif 000004
【００６１】
表２に示されるように、本発明によるトナー供給ローラの通気量Ｃの測定結果と画像評価結果との間に良好な相関関係が認められた。
【００６２】
本発明の評価方法において、トナー供給ローラの外径をＬ1、測定孔Ａの径をＬA、測定孔Ｂの径をＬBとしたとき、ＬA＝ＬB且つＬA／Ｌ1＝０．６且つＬB／Ｌ1＝０．６とし、測定孔ＡとＢとの差圧を１２５Ｐａ（測定孔Ｂが負圧側）とする。この条件で測定した通気量をＣ（ｌ／ｍｉｎ）としたとき、Ｃが１．０≦Ｃ≦７．０であるトナー供給ローラは長期間使用時にも良好なトナー搬送性能を維持することが確認された。
【図面の簡単な説明】
【００６３】
【図１】本発明に係るトナー供給ローラを用いることのできる電子写真方式の画像形成装置の一例を示す模式図である。
【図２】本発明において使用可能な、通気量を測定する装置の模式図である。（ａ）はトナー供給ローラに通気量測定用治具を取り付けた段階、（ｂ）はさらにチャンバー等を取り付けた段階、（ｃ）はさらに密閉用治具を取り付けた段階を示す図である。
【図３】通気量を測定する装置とトナー供給ローラの断面の空気の流れの模式図である。
【図４】従来の評価方法に使用される通気量測定装置を示す模式図である。
【符号の説明】
【００６４】
１    感光体
２    現像ローラ
３    トナー供給ローラ
４    規制ブレード
５    転写ローラ
６    クリーニングブレード
７    帯電ローラ
８    記録媒体
９    トナー供給ローラ
１０  芯金
１１  チャンバー
１２  通気量測定用治具
１２ａ、ｂ  測定孔
１３  密閉用治具
１４  圧力計
１５  流量計
１６  吸引ポンプ
１７  試験体
１８  チャンバー
【図１】
2008052189.tif 000005
【図２】
2008052189.tif 000006
【図３】
2008052189.tif 000007
【図４】
2008052189.tif 000008